(57)【特許請求の範囲】
【請求項１】
内部に第１空気が通過する第１チャンネル及び第２空気が通過する第２チャンネルが形成されたハウジングと、
前記第１チャンネル内に配置されて前記第１空気を加熱する加熱部と、
前記加熱部によって加熱された前記第１空気により乾燥され、前記第２空気から湿気を吸収するように、前記ハウジング内で回転可能に設けられる除湿ローターと、
前記第２チャンネル内に配置されて前記除湿ローターを通過した前記第２空気を冷却させる冷却部と、
圧縮機及び凝縮器を含む冷媒循環回路を有する冷媒循環部とを含み、
前記凝縮器は前記第２チャンネル内に配置され、前記凝縮器を循環する冷媒が前記冷却部によって冷却された前記第２空気との熱交換により凝縮され、
前記第２空気は、室外から前記第２チャンネル内に流入した空気であり、前記冷却部によって冷却された第２空気中の一部は前記凝縮器で熱交換された後、室外に排出され、前記冷却部によって冷却された前記第２空気中の残りは室内に供給されることを特徴とする除湿冷房装置。
【請求項２】
前記第１空気は、室外から前記第１チャンネル内に流入した空気であり、前記第１チャンネルを通過した前記第１空気は、室外に排出されることを特徴とする請求項１に記載の除湿冷房装置。
【請求項３】
前記第１チャンネル内に配置されて、前記第１空気が通過するように強制する第１送風機と、
前記第２チャンネル内に配置されて、前記第２空気が通過するように強制する第２送風機と
をさらに含むことを特徴とする請求項１に記載の除湿冷房装置。
【請求項４】
前記第１送風機及び第２送風機のそれぞれは、制御部によって選択的に稼働または中止されることを特徴とする請求項３に記載の除湿冷房装置。
【請求項５】
内部に第１空気が通過する第１チャンネル、第２空気が通過する第２チャンネル、及び第３空気が通過する第３チャンネルが形成されたハウジングと、
前記第１チャンネル内に配置されて前記第１空気を加熱する加熱部と、
前記加熱部によって加熱された前記第１空気により乾燥され、前記第２空気、及び第３空気から湿気を吸収するように、前記ハウジング内で回転可能に設けられる除湿ローターと、
前記第２チャンネル及び前記第３チャンネル内に配置されて、前記除湿ローターを通過した前記第２空気及び第３空気を冷却させる冷却部と、圧縮機及び凝縮器を含む冷媒循環回路を有する冷媒循環部とを含み、
前記凝縮器は、前記第２チャンネル内に配置され、内部に循環される冷媒が前記冷却部によって冷却された前記第２空気との熱交換により凝縮され、
前記第３空気は、室内から流入した空気、室内及び室外から流入して混合された空気、及び室外から流入した空気の何れかであり、前記冷却部によって冷却された後、室内に排出されることを特徴とする除湿冷房装置。 
【請求項６】
前記第１空気は、室外から流入した空気であるか、または室内から流入した空気であり、前記除湿ローターを通過した後、室外に排出されることを特徴とする請求項５に記載の除湿冷房装置。
【請求項７】
前記第２空気は、室外から流入した空気であるか、または室内及び室外から流入して混合された空気であり、前記冷却部によって冷却された前記第２空気中の一部は、前記凝縮器で熱交換された後、室外に排出され、前記冷却部によって冷却された前記第２空気中の残りは、室内に供給されることを特徴とする請求項５に記載の除湿冷房装置。
【請求項８】
前記第１チャンネル内に配置されて、前記第１空気が通過するように強制する第１送風機と、
前記第２チャンネル内に配置されて、前記第２空気が通過するように強制する第２送風機と、
前記第３チャンネル内に配置されて、前記第３空気が通過するように強制する第３送風機と
をさらに含むことを特徴とする請求項５に記載の除湿冷房装置。
【請求項９】
前記第１送風機、第２送風機、及び第３送風機のそれぞれは、制御部によって選択的に稼働または中止されることを特徴とする請求項８に記載の除湿冷房装置。
【請求項１０】
前記第３チャンネル内に配置される空気フィルタをさらに含むことを特徴とする請求項５に記載の除湿冷房装置。
【請求項１１】
前記冷媒循環回路は、蒸発器をさらに含み、
内部で循環される水が、前記蒸発器を循環する前記冷媒と熱交換されるように前記蒸発器に連結される冷水循環管をさらに含むこと特徴とする請求項１または５に記載の除湿冷房装置。
【請求項１２】
前記冷水循環管の一部は、室内の床、天井、及び壁のうち、少なくとも何れかの内部に埋設されるか、またはファンコイルユニット（ｆａｎ ｃｏｉｌ ｕｎｉｔ）内に配置されることを特徴とする請求項１１に記載の除湿冷房装置。
【請求項１３】
前記冷媒循環回路は、蒸発器をさらに含み、
室内空気が、前記蒸発器を循環する前記冷媒と熱交換された後、室内に再び供給されるように、前記室内空気を強制的に送風させる送風ファンをさらに含むことを特徴とする請求項１または５に記載の除湿冷房装置。
【請求項１４】
前記第２チャンネル内に配置され、前記凝縮器の表面に水を噴射するように作動する水供給部をさらに含むことを特徴とする請求項１または５に記載の除湿冷房装置。
【発明の詳細な説明】
【技術分野】
【０００１】
本発明は、輻射冷房、ファンコイルユニットによる冷房、または電気エアコンによる冷房構造と連携されるようにし、冷房のための空気循環用ダクト構造が形成されていない構造物においても適用されることができ、また室内の冷房効率が向上する除湿冷房装置に関する。
【背景技術】
【０００２】
除湿冷房技術は、除湿機による潜熱負荷処理と、蒸発熱による気温低下を用いて冷房を行う技術である。
より詳細には、除湿冷房技術は、除湿機を用いて空気中に含まれた湿気を除去することによって潜熱負荷を除去し、除湿された乾燥空気に水分を供給して蒸発が起きるようにすることにより、蒸発熱によって空気の温度を下げることで、このような過程が反復的に行われるように循環サイクルを構成して冷房を行うことになる。
このような除湿冷房技術はエネルギー消費が少なく、環境親和的な点で新再生エネルギーに関する技術として持続的な開発が行われている。
除湿冷房技術を用いる具体的な装置の一例としては、大韓民国公開特許第１０−２０１２−００２２６８４号「除湿冷房装置」が挙げられる。
【０００３】
前記公開特許は、ハウジングと、前記ハウジンの内部に配置され、隔壁によって室内側及び室外側の流路が形成される第１ケーシング、及び第１ケーシングの室内側及び室外側の流路にわたって回転可能に設けられる除湿ローターを含む除湿モジュールと、前記ハウジングの内部に配置され、隔壁によって室内側及び室外側の流路が形成される第２ケーシング、及び室内側及び室外側の流路のうち、一つの流路を通過する空気を加熱する再生部を含む再生モジュールと、前記ハウジングの内部に配置され、隔壁によって室内側及び室外側の有路が形成される第３ケーシング及び室内側及び室外側の有路にわたって回転可能に設けられる顕熱ローターを含む冷却モジュールとを含み、前記第１乃至第３ケーシングが互いに着脱可能に装着されることによって、前記ハウジング内に互いに区画される２つのチャンネルが形成されることを特徴とする除湿冷房装置を開示している。
【０００４】
上記の公開特許を始めとする従来の除湿冷房装置は、前述のようにエネルギー消費が少なくて親環境的な点で長所がある。しかし、除湿通路を通過しながら冷却された空気が、再び室内に供給される構造（例えば、空気循環用ダクト）を有する構造物のみに適用可能な短所がある。
また、構造物には、冷却空気の供給経路に沿って冷却空気がスームズに循環されるようにする別途の送風機がさらに備えければならない。そして、この送風機は、普通固定圧（ｈｉｇｈ  ｓｔａｔｉｃ  ｐｒｅｓｓｕｒｅ)、大風量(ｈｉｇｈ ａｉｒｆｌｏｗ)の送風機でなければならない。これにより、従来の除湿冷房装置は、電気消費量を増加させる短所ももっている。
【発明の開示】
【発明が解決しようとする課題】
【０００５】
本発明は、上記の従来技術の問題点を解決するためになされたものであって、その目的は、冷却空気の供給経路である空気循環用ダクト構造が備えられない構造物についても、室内の除湿及び冷房が実現されるようにする除湿冷房装置を提供することにある。
【課題を解決するための手段】
【０００６】
本発明の一実施形態に係る除湿冷房装置は、内部に第１空気が通過する第１チャンネル及び第２空気が通過する第２チャンネルが形成されたハウジングと、前記第１チャンネル内に配置されて前記第１空気を加熱する加熱部と、前記加熱部によって加熱された前記第１空気により乾燥され、前記第２空気から湿気を吸収するように前記ハウジング内で回転可能に設けられる除湿ローターと、前記第２チャンネル内に配置されて前記除湿ローターを通過した前記第２空気を冷却される冷却部と、圧縮機及び凝縮器を含む冷媒循環回路を有する冷媒循環部とを含むことができる。
【０００７】
前記凝縮器は、前記第２チャンネル内に配置され、内部に循環される冷媒が前記冷却部によって冷却された前記第２空気との熱交換により凝縮されることができる。
本発明の一実施形態に係る除湿冷房装置において、前記第１空気は、室外から前記第１チャンネル内に流入した空気であり、前記第１チャンネルを通過した前記第１空気は室外に排出されることができる。
本発明の一実施形態に係る除湿冷房装置において、前記第２空気は、室外から前記第２チャンネル内に流入した空気であり、前記冷却部によって冷却された前記第２空気は、前記凝縮器で熱交換された後、室外に排出されることができる。
【０００８】
本発明の一実施形態に係る除湿冷房装置において、前記第２空気は、室外から前記第２チャンネル内に流入した空気であり、前記冷却部によって冷却された前記第２空気中の一部は、前記凝縮器で熱交換された後、室外に排出され、前記冷却部によって冷却された前記第２空気中の残りは、室内に供給されることができる。
本発明の一実施形態に係る除湿冷房装置において、前記第１チャンネルに配置されて、前記第１空気が通過するように強制する第１送風機と、前記第２チャンネル内に配置されて、前記第２空気が通過するように強制する第２送風機をさらに含むことができる。
【０００９】
本発明の一実施形態に係る除湿冷房装置において、前記第１送風機及び第２送風機のそれぞれは、制御部によって選択的に稼働または中止されることができる。
本発明の一実施形態に係る除湿冷房装置において、前記冷媒循環回路は、蒸発器をさらに含み、内部で循環される水が前記蒸発器を循環する前記冷媒と熱交換されるように、前記蒸発器に連結される冷水循環管をさらに含むことができる。
本発明の一実施形態に係る除湿冷房装置において、前記冷水循環管の一部は、室内の床、天井、及び壁のうち、少なくとも何れかの内部に埋設されるか、またはファンコイルユニット（ｆａｎ ｃｏｉｌ ｕｎｉｔ）内に配置されることができる。
【００１０】
本発明の一実施形態に係る除湿冷房装置において、前記冷媒循環回路は、蒸発器をさらに含み、室内空気が、前記蒸発器を循環する前記冷媒と熱交換された後、室内に再び供給されるように、前記室内空気を強制的に送風させる送風ファンをさらに含むことができる。
本発明の一実施形態に係る除湿冷房装置において、前記第２チャンネル内に配置され、前記凝縮器の表面に水を噴射するように作動する水供給部をさらに含むことができる。
【００１１】
本発明の他の実施形態に係る除湿冷房装置は、内部に第１空気が通過する第１チャンネル、第２空気が通過する第２チャンネル、及び第３空気が通過する第３チャンネルが形成されたハウジングと、前記第１チャンネル内に配置されて前記第１空気を加熱する加熱部と、前記加熱部によって加熱された前記第１空気により乾燥され、前記第２空気、及び第３空気から湿気を吸収するように、前記ハウジング内で回転可能に設けられる除湿ローターと、前記第２チャンネル及び前記第３チャンネル内に配置されて、前記除湿ローターを通過した前記第２空気及び第３空気を冷却させる冷却部と、圧縮機及び凝縮器を含む冷媒循環回路を有する冷媒循環部とを含むことができる。 
前記凝縮器は、前記第２チャンネル内に配置され、内部に循環される冷媒が前記冷却部によって冷却された前記第２空気との熱交換により凝縮され、前記第３空気は、室内から流入した空気、室内及び室外から流入して混合された空気、及び室外から流入した空気の何れかであり、前記冷却部によって冷却された後、室内に排出されることができる。 
【００１２】
本発明の他の実施形態に係る除湿冷房装置において、前記第１空気は、室外から流入した空気であるか、または室内から流入した空気であり、前記除湿ローターを通過した後、室外に排出されることができる。
本発明の他の実施形態に係る除湿冷房装置において、前記第２空気は、室外から流入した空気であるか、または室内及び室外から流入して混合された空気であり、前記冷却部によって冷却された前記第２空気中の一部は、前記凝縮器で熱交換された後、室外に排出され、前記冷却部によって冷却された前記第２空気中の残りは、室内に供給されることができる。
【００１３】
本発明の他の実施形態に係る除湿冷房装置において、前記第１チャンネル内に配置されて、前記第１空気が通過するように強制する第１送風機と、前記第２チャンネル内に配置されて、前記第２空気が通過するように強制する第２送風機と、前記第３チャンネル内に配置されて、前記第３空気が通過するように強制する第３送風機とをさらに含むことができる。
本発明の他の実施形態に係る除湿冷房装置において、前記第１送風機、第２送風機、及び第３送風機のそれぞれは、制御部によって選択的に稼働または中止されることができる。
【００１４】
本発明の他の実施形態に係る除湿冷房装置において、前記第３チャンネル内に配置される空気フィルタをさらに含むことができる。
本発明の他の実施形態に係る除湿冷房装置において、前記冷媒循環回路は、蒸発器をさらに含み、内部で循環される水が、前記蒸発器を循環する前記冷媒と熱交換されるように前記蒸発器に連結される冷水循環管をさらに含むことができる。
本発明の他の実施形態に係る除湿冷房装置において、前記冷水循環管の一部は、室内の床、天井、及び壁のうち、少なくとも何れかの内部に埋設されるか、またはファンコイルユニット（ｆａｎ ｃｏｉｌ ｕｎｉｔ）内に配置されることができる。
【００１５】
本発明の他の実施形態に係る除湿冷房装置において、前記冷媒循環回路は、蒸発器をさらに含み、室内空気が、前記蒸発器を循環する前記冷媒と熱交換された後、室内に再び供給されるように、前記室内空気を強制的に送風させる送風ファンをさらに含むことができる。
本発明の他の実施形態に係る除湿冷房装置において、前記第２チャンネル内に配置され、前記凝縮器の表面に水を噴射するように作動する水供給部をさらに含むことができる。
上述の本発明の特徴は、添付の図面に基づく以下の詳細な説明によってより明確になる。
【発明の効果】
【００１６】
本発明によると、第２チャンネルを通過する第２空気は、除湿ローターによって除湿された後、冷却部によって冷却される。冷却された第２空気は、凝縮器の冷媒と熱交換されて冷媒を凝縮させる。凝縮された冷媒は、蒸発器で他の流体と熱交換され、熱交換された他の流体は室内の冷房用として用いられる。
このように、本発明に係る除湿冷房装置は、冷媒と熱交換された他の流体を用いて、室内の冷房を実現するので、除湿冷房装置が設けられる構造物に別途の空気循環用ダクトが備えられなくても、その構造物に室内冷房用として適用できる利点を提供する。
また、第２チャンネルで冷却された空気の一部を抽気して室内に供給するか、または既存の構造物に形成された換気構造を用いて、第３チャンネルを介して除湿冷却された空気を室内に供給することにより、室内の除湿及び冷房効率の向上を図ることは勿論、これに加えて室内換気の効率性を向上させることができる利点を提供する。
【００１７】
また、水供給部の作動によって凝縮器の表面に水が噴射される場合には、凝縮器を通過する第２空気の熱が、凝縮器の表面に噴射された水の蒸発潜熱に吸収されるので、第２空気の温度がより低くなり、その結果、凝縮器を循環する冷媒の凝縮温度をより低めることができる。これによって、圧縮機の消費電力をより低減することができる。
【図面の簡単な説明】
【００１８】
【図１】本発明の第１実施形態に係る除湿冷房装置を示す概略図である。
【図２】本発明の第２実施形態に係る除湿冷房装置を示す概略図である。
【図３】本発明の第３実施形態に係る除湿冷房装置を示す概略図である。
【図４】本発明の第４実施形態に係る除湿冷房装置を示す概略図である。
【図５】本発明の第５実施形態に係る除湿冷房装置を示す概略図である。
【発明を実施するための形態】
【００１９】
以下、本発明の多様な実施形態に係る除湿冷房装置について添付図面を参照して詳細に説明する。但し、以下に説明する様々な実施形態に関する説明で重複する内容は、何れかの実施形態についてのみ詳細に説明し、他の実施形態については省略する。
図１は、本発明の第１実施形態に係る除湿冷房装置を示す概略図であり、図２は、本発明の第２実施形態に係る除湿冷房装置を示す概略図であり、図３は、本発明の第３実施形態に係る除湿冷房装置を示す概略図であり、図４は、本発明の第４実施形態に係る除湿冷房装置を示す概略図であり、そして図５は、本発明の第５実施形態に係る除湿冷房装置を示す概略図である。
【００２０】
図１に示すように、本発明の第１実施形態に係る除湿冷房装置１は、内部に第１空気が通過する第１チャンネル１１０及び第２空気が通過する第２チャンネル１２０が形成されたハウジング１００と、前記第１チャンネル１１０内に配置されて前記第１空気を加熱する加熱部１１１と、前記加熱部１１１によって加熱された前記第１空気により乾燥され、前記第２空気から湿気を吸収するように、前記ハウジング１００内で回転可能に設けられる除湿ローター１０１と、前記第２チャンネル内に配置されて前記除湿ローター１０１を通過した前記第２空気を冷却させる冷却部１２１、及び圧縮機１４１と、凝縮器１４２、及び蒸発器１４３を含む冷媒循環回路を有する冷媒循環部１４０とを含むことができる。
【００２１】
ハウジング１００は、本実施形態に係る除湿冷房装置１の外形をなすものであって、内部に第１チャンネル１１０及び第２チャンネル１２０が隔壁１０２によって区画されて形成される。
第１チャンネル１１０を通過する空気は、第１空気として定義されることができる。第１空気は、例えば、室外から第１チャンネル１１０内に流入した空気であることができる。第１空気は、第１チャンネル１１０を通過した後、室外に排出されることができる。
【００２２】
第１チャンネル１１０内には加熱部１１１が配置される。加熱部１１１は、第１空気が経て通過するように第１チャンネル１１０内の第１空気の流動経路上に配置される。加熱部１１１は、例えば、ヒットコイルのように電気抵抗による熱を提供するか、または温水による熱を提供することができる。このような加熱部１１１によって、加熱部１１１を経ていく第１空気は加熱される。加熱部１１１によって加熱された第１空気は後述する除湿ローター１０１を乾燥させる。
【００２３】
ハウジング１００内には、示すように除湿ローター１０１が配置される。
除湿ローター１０１は、第１チャンネル１１０と第２チャンネル１２０を跨るように配置され、またハウジング１００内で回転可能に配置される。
除湿ローター１０１は、空気との接触面に、例えば、シリカゼルまたはゼオライトなどのような吸着剤が形成されて、除湿ローター１００を経て通過する空気から湿気を吸収できる。
【００２４】
除湿ローター１０１は、既に公知されている構成であるから、除湿ローター１０１に関する詳細な説明は省略する。除湿ローター１０１は、公知された多様な除湿ローター１０１の例が適用されることができる。
第２チャンネル１２０を通過する空気は第２空気として定義されることができる。第２空気は、例えば、室外から流入した空気であることができる。第２空気は、除湿ローター１０１を通過する過程で除湿ローター１０１に湿気が吸収されて除湿される。
【００２５】
除湿ローター１０１を通過した、除湿された第２空気を冷却させるために、第２チャンネル１２０内には冷却部１２１が配置される。冷却部１２１は、例えば、冷却部１２１を経ていく第２空気に水を噴射して、噴射された水の蒸発過程で第２空気が冷却されるようにする蒸発式冷却器であることができる。
本実施形態に係る除湿冷房装置１は、圧縮機１４１、凝縮器１４２及び蒸発器１４３を含めて冷媒の循環回路を有する冷媒循環部１４０を含む。この時、凝縮器１４２は、第２チャンネル１２０内に配置される。そして、凝縮器１４２を通過する冷媒は、冷却部１２１によって冷却された第２空気により凝縮される。
【００２６】
本実施形態に係る除湿冷房装置１は、従来の除湿冷房構造と異なり、冷却部１２１によって冷却された第２空気が、凝縮器１４２を循環する冷媒を冷却させる機能を行うことに特定がある。
本実施形態に係る除湿冷房装置１は、第２チャンネル１２０に配置されて、凝縮器１４２の表面に水を噴射するように作動する水供給部１２３をさらに含むことができる。水供給部１２３は、制御部によって作動されるように制御されることができる。
水供給部１２３の作動によって凝縮器１４２の表面に水が噴射されると、冷却部１２１によって冷却された第２空気は、凝縮器１４２を通過する過程で凝縮器１４２の表面に噴射された水と熱交換される。
【００２７】
この過程で、第２空気の熱は、凝縮器１４２の表面に噴射された水の蒸発潜熱に吸収されてさらに冷却され、さらに冷却された第２空気により凝縮器１４２を循環する冷媒の凝縮温度がより低くなる。これによって、本実施形態に係る除湿冷房装置１は、圧縮機１４１の消費電力をより低減することができる。
本実施例に係る除湿冷房装置１は、第２空気により冷却された冷媒を用いて室内の冷房を図ることにより、従来の除湿冷房構造で構造物内に形成されるべきであった空気循環用ダクトが不要になることができる。
【００２８】
凝縮器１４２で凝縮された冷媒は、蒸発器１４３を経る過程で水または空気と熱交換されることができる。熱交換により冷却された水または空気は、室内冷房のために活用されることができる。
室内冷房のために活用される具体的な例として、まず蒸発器１４３は、板状熱交換器 （ｐｌａｔｅ ｔｙｐｅ ｈｅａｔ ｅｘｃｈａｎｇｅｒ）であることができる。そして、本実施形態に係る除湿冷房装置１は、板状熱交換器に連結される冷水循環管１６１をさらに含むことができる。
【００２９】
冷水循環管１６１を循環する水は、板状熱交換器１４３内で板状熱交換器内を循環する冷媒と熱交換されながら冷却されることができる。冷水循環管１６１を循環する冷却された水は、室内冷房のために活用されることができる。
例えば、冷水循環管１６１の一部は、示されていないが、除湿冷房装置１が設けられる構造物の室内の床、天井、または壁の内部に埋設されることができる。室内の床、天井、または壁に、このように冷水循環管１６１が埋設されることによって、室内は輻射冷房（ｐａｎｅｌ ｃｏｏｌｉｎｇ）により冷房されることができる。
または、冷水循環管１６１の一部は、示したようにファンコイルユニット（ｆａｎ ｃｏｉｌ ｕｎｉｔ）１５１内に配置され、ファインコイルユニット１５１の稼働を通して室内を冷房することもできる。
【００３０】
一方、第２チャンネル１２０内で除湿ローター１０１及び冷却部１２１を順に通過して除湿及び冷却された第２空気は、その全部が室外に排出されることができる。
また、室内の冷房効率をより向上させるように、冷却された第２空気の一部は室外に排出されるようにし、その残りは室内に抽気して供給されるようにすることもできる。
第１チャンネル１１０内における第１空気の通過は、第１チャンネル１１０内に配置される第１送風機１１２の稼働により強制されることができる。同様に、第２チャンネル１２０内における第２空気の通過は、第２チャンネル１２０内に配置される第２送風機１２２の稼働により強制されることができる。
【００３１】
本実施形態に係る除湿冷房装置１は、前述の第１送風機１１２及び第２送風機１２２の稼働または中止を制御する制御部（未図示）をさらに含むことができる。この時、制御部は、第１送風機１１２及び第２送風機１２２のそれぞれついて選択的に稼働または中断されるように制御することができる。
前述の第１実施形態に係る除湿冷房装置１の具体的な作動過程を説明すれば、以下の通りである。
【００３２】
室外から第１チャンネル１１０内に流入した第１空気は、加熱部１１１によって加熱された後、回転中の除湿ローター１０１を通過しながら除湿ローター１０１を加熱させる。除湿ローター１０１を通過した第１空気は室外に排出されることができる。
室外から第２チャンネル１２０内に流入した第２空気は、回転中の除湿ローター１０１を経て除湿される。第２空気の湿気を吸収した除湿ローター１０１は、回転する過程で第１チャンネル１１０を通過する加熱された第１空気により乾燥されながら、再生される。
【００３３】
除湿ローター１０１を通過した、除湿された第２空気は、冷却部１２１を経て冷却される。冷却された第２空気は、その全部が第２チャンネル１２０内に配置された凝縮器１４２で凝縮器１４２を循環する冷媒と熱交換されることができる。
または、冷却された第２空気中の一部が、凝縮器１４２で熱交換され、残りが室内に抽気供給されて室内冷房に用いられることができる。
【００３４】
この時、水供給部１２３が作動されるように制御して、第２空気の熱が凝縮器１４２の表面に噴射された水の蒸発潜熱に吸収されるようにすることによって、凝縮器１４２を循環する冷媒の凝縮温度をより低めることができる。
凝縮器１４２を循環する冷媒は、冷却された第２空気と熱交換されて凝縮された後、蒸発器１４２に循環される。蒸発器１４３で循環する冷媒は、前述のように冷水循環管１６１を循環する水と熱交換されることができる。冷媒と熱交換された冷水は、室内が輻射冷房されるように用いられるか、ファンコイルユニット１５１の冷房作動に用いられることができる。
【００３５】
図２は、本発明の第２実施形態に係る除湿冷房装置を示す概略図である。示したように、本発明の第２実施形態に係る除湿冷房装置２は、ハウジング１００内に第１チャンネル１１０及び第２チャンネル１２０外に、第３チャンネル１３０がさらに形成される点で第１実施形態と差異点がある。
除湿ローター１０１は、第１チャンネル１１０、第２チャンネル１２０及び第３チャンネル１３０を跨るようにハウジング１００内に配置される。そして、冷却部１２１、１３１は、第２チャンネル１２０及び第３チャンネル１３０内に配置される。
第３チャンネル１３０内を通過する空気は、第３空気として定義されることができる。第３空気は、室内から第３チャンネル１３０内に流入する空気であることができる。第３チャンネル１３０に流入した空気は、除湿ローター１０１及び冷却部１３１を順に経て除湿及び冷却される。
【００３６】
冷却された第３空気は、室内に再び供給されることができ、室内に供給される第３空気により室内は冷却及び除湿効果を有することができる。第３チャンネル１３０は、このように室内空気が流入して通過された後、再び室内に排出されるように、構造物に既に形成されている室内換気ダクトと連結されることができる。
第３チャンネル１３０内には、第３空気が通過するように強制する第３送風機１３２が配置されることができる。第３送風機１３２は、第１及び第２送風機１１２、１２２と同様に、制御部によって選択的に稼働または中止されるように制御されることができる。制御部は、第１送風機１１２及び第２送風機１２２だけが稼働されるように制御することもでき、または必要に応じて室内の冷房及び除湿効果がより向上するように第１送風機１１２、第２送風機１２２及び第３送風機１３２のいずれも稼働されるように制御することもできる。または、第１送風機１１２及び第２送風機１２２は中止されるようにし、第３送風機１３２だけが稼働されるように制御することもできる。
【００３７】
本実施形態に係る除湿冷房装置２は、第３チャンネル１３０内に配置されて、第３チャンネル１３０を通過する第３空気内の塵、異物などが除去されるようにする空気フィルタ１３３をさらに含むこともできる。
図３は、本発明の第３実施形態に係る除湿冷房装置を示す概略図である。示したように、本実施形態に係る除湿冷房装置３は、凝縮器１４２で凝縮された冷媒を活用して、室内を冷房させるもう一つの活用例を提示する点で第１実施形態及び第２実施形態と差異点がある。
【００３８】
本実施形態に係る除湿冷房装置３の蒸発器１４３は、エアコン装置（ａｉｒ ｃｏｎｄｉｔｉｏｎｅｒ）を構成する蒸発器であることができる。本実施形態に係る除湿冷房装置３は、蒸発器１４３に隣接して配置される送風ファン１５２をさらに含むことができる。
送風ファン１５２は、送風ファン１５２の稼働により室内空気が蒸発器１４３を経て、再び室内に供給されるようにする。室内空気は、蒸発器１４３を通過する過程で蒸発器１４３を循環する冷媒と熱交換されながら冷却される。室内は、この冷却された空気により冷房されることができる。本実施形態に係る除湿冷房装置３は、このように室内によく設けられるエアコン装置を活用できる利点を提供する。
【００３９】
図４は、本発明の第４実施形態に係る除湿冷房装置を示す概略図である。
示したように、本実施形態に係る除湿冷房装置４は、第２実施形態と比較して第２チャンネル１２０に流入する第２空気、及び第３チャンネル１３０に流入する第３空気が室外から流入した空気と室内から流入した空気の混合空気である点で差異点がある。
ハウジング１００内には、第２チャンネル１２０及び第３チャンネル１３０の入口側に、室外から流入した空気が混合される混合空間１０４が備えられることができる。
第２送風機１２２及び第３送風機１３２の稼働により混合空間１０４に流入して混合された空気は、その中の一部が第２チャンネル１２０を介して、そして残りが第３チャンネル１３０を介して流入して通過することができる。
【００４０】
本実施形態に係る除湿冷房装置４は、このように第３チャンネル１３０に室内空気及び室外空気の混合空気が流入するようにし、第３チャンネル１３０を通過した混合空気が室内に再び供給されることにより、室内の冷房及び除湿効果に加えて、室内の換気効果まで得られる利点を提供する。
図５は、本発明の第５実施形態に係る除湿冷房装置を示す概略図である。示したように、本実施例に係る除湿冷房装置５は、第４実施形態と比較して第１チャンネル１１０に室外空気ではなく、室内空気が流入する点で差異点がある。
【００４１】
即ち、第１チャンネル１１０に流入する第１空気は、室内から流入する空気であることができる。流入した第１空気は、加熱部１１１を経て加熱された後、除湿ローター１０１を通過することもでき、または示したように、加熱部１１１と除湿ローター１０１と間の空間に流入した後、加熱部１１１を経ずに除湿ローター１０１を通過することもできる。第１チャンネル１１０を通過した第１空気は室外に排出される。
そして、本実施形態に係る除湿冷房装置５は、第３チャンネル１３０を通過する第３空気が室内空気及び室外空気の混合空気ではなく、室外から流入した空気である点で第４実施形態と差異点がある。
【００４２】
室外から流入した空気は、第２チャンネル１２０及び第３チャンネル１３０を通過することができる。但し、制御部は、第２送風機１２２が中止されるように、そして第１送風機１１２及び第３送風機１３２が稼働されるように制御することもできる。
この場合、室内空気は、第１チャンネル１１０を通過して室外に排出され、室外空気は、第３チャンネル１３０を通過した後、室内に再び供給されて室内が換気されることができる。
【００４３】
このような換気運転において、夏季には除湿ローター１０１及び冷却部１３１の両方を稼働することにより、第３チャンネル１３０を通過する室外空気が除湿及び冷却された後、室内に供給されるようにして、室内の除湿及び冷房効果が得られる。
そして、冬季には冷却部１３１の稼働を中断し、除湿ローター１０１だけを稼働させ、第１チャンエル１１０を通過する室内空気が除湿ローター１０１を経る過程で伝熱されるようにした後、室外に排出されるようにし、第３チャンネル１３０を通過する室外空気が除湿ローター１０１を経る過程で伝熱されたエネルギーを回収した後、室内に供給されるようにできる。
【００４４】
第１チャンネル１１０への室内空気の流入及び第３チャンネル１３０から室内への第３空気の供給は、構造物に形成された室内換気ダクトを用いて行われる。前述の構造を有する本実施形態に係る除湿冷房装置５は、室内の冷房を必要とせず、換気だけが必要な場合に高効率のエネルギー回収型換気効果が得られる。
以上、本発明を具体的な実施形態を通じて詳細に説明したが、これは本発明を具体的に説明するためのもので、本発明はこれに限定されず、本発明は、本発明の技術的思想内で当該分野の通常の知識を有する者によってその変形や改良が可能であることは明白である。
本発明の単なる変形乃至変更は、すべて本発明の領域に属するもので、本発明の具体的な保護範囲は添付の特許請求の範囲に基づいて明確になるだろう。
【符号の説明】
【００４５】
１，２，３，４，５：除湿冷房装置
１００：ハウジング
１０１：除湿ローター
１０２，１０３：隔壁
１０４：混合空間
１１０：第１チャンネル
１１１：加熱部
１１２：第１送風機
１２０：第２チャンネル
１２１：冷却部 
１２２：第２送風機
１２３：水供給部
１３０：第３チャンネル
１３１：冷却部
１３２：第３送風機
１３３：空気フィルタ
１４０：冷媒循環部
１４１：圧縮機
１４２：凝縮器
１４３：蒸発器
１５１：ファンコイルユニット
１５２：送風ファン
１６１：冷水循環管
【図１】
0006321212.tif 000002
【図２】
0006321212.tif 000003
【図３】
0006321212.tif 000004
【図４】
0006321212.tif 000005
【図５】
0006321212.tif 000006